(57)【要約】【課題】  浴室用排水トラップに取り付けられる逆流防止用の弁部材を簡素化することを目的とする。【解決手段】  洗い場側および浴槽側からの排水が流入し、洗い場側の床下に配設された溜水部材と、洗い場側から流入した排水が浴槽側に逆流しないように、且つ浴槽側からの排水を溜水部材内に流入可能とする弁部材と、を備え、弁部材に形成された係合突部を、溜水部材に形成された係合溝に係合させることにより、弁部材が溜水部材に対して固定されていることを特徴とする浴室用排水トラップを提供する。【選択図】  図１
2010242462.tif 000002
【特許請求の範囲】
【請求項１】
洗い場側および浴槽側からの排水が流入し、前記洗い場側の床下に配設された溜水部材と、
前記洗い場側から流入した排水が前記浴槽側に逆流しないように、且つ前記浴槽側からの排水を前記溜水部材内に流入可能とする弁部材と、を備え、
前記弁部材に形成された係合突部を、前記溜水部材に形成された係合溝に係合させることにより、前記弁部材が前記溜水部材に対して固定されることを特徴とする浴室用排水トラップ。
【請求項２】
前記係合突部の先端が、前記溜水部材の内部に突出するように固定されていることを特徴とする請求項１記載の浴室用排水トラップ。
【請求項３】
前記弁部材は、全体が伸縮可能な軟質樹脂材料から形成されていることを特徴とする請求項１または２に記載の浴室用排水トラップ。
【請求項４】
前記係合突部は、前記係合溝に対して水密的に固定されていることを特徴とする請求項３に記載の浴室用排水トラップ。
【請求項５】
前記弁部材は、開閉可能な弁部とを備え、前記係合突部の方が少なくとも前記弁部よりも硬度が大きくなるように形成されていることを特徴とする請求項３または４に記載の浴室用排水トラップ。
【請求項６】
前記係合突部には、爪部を備えていることを特徴とする請求項１〜５のいずれか１項に記載の浴室用排水トラップ。
【請求項７】
前記係合溝は、上下方向に形成されており、前記係合溝よりも上方に位置する前記溜水部材の内側面よりも内方側に形成されていることを特徴とする請求項１〜６のいずれか１項に記載の浴室用排水トラップ。
【請求項８】
前記溜水部材の側面には浴槽側からの排水管が接続される浴槽側接続口が形成されており、前記浴槽側接続口が位置する前記溜水部材の内側面は内方側に膨出した膨出部が形成されており、前記膨出部の上面に前記係合溝が形成され、前記係合突部の端部が前記浴槽側接続口の内部に突出するように固定されていることを特徴とする請求項１〜７のいずれか１項に記載の浴室用排水トラップ。
【発明の詳細な説明】
【技術分野】
【０００１】
本発明は、浴室ユニットに設けられる浴室用排水トラップに関する。
【背景技術】
【０００２】
一般的に、浴室ユニットにおける洗い場の床下には排水トラップが設けられている。図６に示すように、排水トラップ１００は、溜水可能な溜水部材１１０と、溜水部材１１０内に位置するように取り付けられる封水筒１９０とによって封水が形成される。封水によって、下水側からの異臭などが浴室内に進入することを防止できる。
【０００３】
また、溜水部１１０内に浴槽などからの排水が流入する方式の浴室用排水トラップには、溜水部材１１０の側面に形成された浴槽側接続口１１１に逆流防止用の弁部材１２０が取り付けられるものがある。この弁部材１２０は、洗い場側から溜水部材１１０内に流入した排水が浴槽側接続口１１１から浴槽側に逆流しないように、且つ浴槽側からの排水が溜水部材１１０内に流入可能とするために開閉可能な弁部１２２を備えている。この弁部材１２０は溜水部材１１０内の水の流れによって、位置が変わらないように、溜水部材１１０に対して強く固定される必要がある。
【０００４】
特許文献１および図６に示すように、従来の弁部材１２０は、硬質樹脂からなる管状に形成された挿入筒部１２１と、挿入筒部１２１に対して固定された伸縮可能な軟質樹脂からなる弁部１２２との２部材から構成されており、挿入筒部１２１を浴槽側接続口１１１内に嵌挿することで、弁部材１２０を溜水部材１１０に固定していた。
【先行技術文献】
【特許文献】
【０００５】
【特許文献１】特開２００１−１５２５０８号公報
【発明の概要】
【発明が解決しようとする課題】
【０００６】
しかしながら、弁部材１２０を浴槽側接続口１１１内に嵌挿して固定する方式では、部品点数が増え、構造が複雑化するという問題がある。
【課題を解決するための手段】
【０００７】
上述した課題を解決するために、本発明によれば、洗い場側および浴槽側からの排水が流入し、前記洗い場側の床下に配設された溜水部材と、前記洗い場側から流入した排水が前記浴槽側に逆流しないように、且つ前記浴槽側からの排水を前記溜水部材内に流入可能とする弁部材と、を備え、前記弁部材に形成された係合突部を、前記溜水部材に形成された係合溝に係合させることにより、前記弁部材が前記溜水部材に対して固定されることを特徴とする浴室用排水トラップを提供する。
【発明の効果】
【０００８】
本発明によれば、浴室用排水トラップに取り付けられる逆流防止用の弁部材を簡素化することが可能となる。
【図面の簡単な説明】
【０００９】
【図１】本発明の浴室用排水トラップの全体を示す断面図である。
【図２】本発明の溜水部材と弁部材との取り付け状態を示す断面図である。
【図３】（ａ）本発明の弁部材を示す正面図である。（ｂ）本発明の弁部材を示す斜視図である。
【図４】本発明の溜水部材を示す平面図である。
【図５】本発明の溜水部材と弁部材との取り付け状態を示す斜視図である。
【図６】従来の浴室用排水トラップの全体を示す断面図である。
【発明を実施するための形態】
【００１０】
本発明におけるユニットバスは、図１に示すように、洗い場側の下部に設けられた排水トラップ１と、浴槽側の下部に設けられた浴槽排水部４と、を備える。排水トラップ１および浴槽排水部４は、それぞれ洗い場側および浴槽側の床部を構成する防水パン９の下部に固定されている。また、浴槽排水部４と排水トラップ１とは接続管部３１を介して接続されており、浴槽側および洗い場側の排水が、排水トラップ１内で合流する方式である。排水トラップ１内に導かれた排水は、排水管３２を経由して下水側に排出される。
【００１１】
排水トラップ１は、洗い場側に位置する床パン９の下部に配置される溜水部材１０と、床パン９の上部に配置される締め付けフランジ７とによって、上下から床パンを間に挟んだ状態で締め付け固定される。また、溜水部材１０内に配置されるように封水筒９が締め付けフランジ７に対して締め付け固定されている。封水筒９の下端は、溜水部材１０の底面から間隔を空けた上方位置に配置される。溜水部材１０と封水筒９とによって、排水トラップ１に封水が形成される。
【００１２】
また、排水トラップの上部にはヘアキャッチャー８が着脱可能に取り付けられており、洗い場側から髪の毛などの固形物が溜水部材１０内に入りこまないようになっている。
【００１３】
溜水部１０の側面には、接続管部３１が接続される浴槽側接続口１１と、排水管３２が接続される排水管側接続口１２とが形成されている。詳細は後述するが、浴槽側接続口１１には、洗い場側から流入した排水が浴槽側に逆流しないように、且つ浴槽側からの排水を溜水部材１０内に流入可能とする弁部材２が取り付けられている。尚、弁部材２は、溜水部材１０内の溜水部に浸水する位置に取り付けられている。ここで言う溜水部とは、溜水部材１０内における水が溜まっている部分を指す。
【００１４】
浴槽排水部４は、浴槽側に位置する床パン９の下部に配置されており、上述した排水トラップ１と同様に締め付けフランジとによって、床パン９に締め付け固定されている。この浴槽排水部４には、浴槽５内からの排水と、浴槽５の下部に位置する浴槽５側の床パン９からの排水の両方が流入する。また、浴槽排水部４側の締め付けフランジには封水筒が取り付けられており、浴槽排水部４と封水筒とによって、浴槽側にも封水が形成されている。
【００１５】
上述した排水トラップ１と浴槽排水部４における排水の流れについて、以下に説明する。
【００１６】
まず、洗い場側からの排水は、ヘアキャッチャー８および溜水部材１０内の溜水部を順に経由して、溜水部から溢れた排水が排水管３２に排出される。このとき、洗い場側から瞬間的に大量の排水が溜水部内に流れ込んだ場合であっても、浴槽側接続口１１に取り付けられた弁部材２が水圧を受けて閉弁しているため、浴槽排水部側に逆流することはない。
【００１７】
一方、浴槽側（浴槽および浴槽側の防水パン）からの排水は、浴槽排水部４、接続管部３１、および溜水部材１０内の溜水部を順に経由して、溜水部から溢れた排水が排水管３２に排出される。この時、浴槽側接続口１１に取り付けられた弁部材２は、水圧を受けて開弁しているため、浴槽排水部４内の排水を排水トラップ１の溜水部材１０内に導くことができる。
【００１８】
次に、本発明における弁部材２について、詳しく説明する。
【００１９】
図３に示すように、弁部材２は、薄肉板状に形成された弁部２１と、弁部２１と一体で形成され、弁部２１に対して厚肉に形成された係合突部２２とを備える。弁部２１および係合突部２２はゴムなどの軟質樹脂によって一体形成されている。弁部２１は、浴槽側接続口１１を開閉するために、少なくとも浴槽側接続口１１よりも大きく形成されている。
【００２０】
係合突部２２は、弁部２１の上端から水平方向に延在した後、下方に突出した係合基部２３と、係合基部２３から更に下方に突出した爪部２４とを備えている。弁部材２の係合突部２２は、後述する溜水部材１０の係合溝１５内に嵌装され、さらに爪部２４が係合溝１５の下端に係止されることにより、弁部材２を溜水部材１０に対して固定している。
【００２１】
次に、本発明における溜水部材１０について詳しく説明する。
【００２２】
図４に示すように、浴槽側接続口１１に位置する溜水部材１０内側面は、他の内側面に対して内方側に膨出した膨出部１４を備えている。膨出部１４の上面に、弁部材１０の係合突部２２が嵌装される係合溝１５が形成されている。係合溝１５は、上側係合溝部１６および、その下方に連続する下側係合溝部１７とからなり、下端は浴槽側接続口１１の内面まで貫通されている。上側係合溝部１６内に弁部材２の係合基部２３が嵌装され、下側係合溝部１７内に弁部材２の爪部２４が嵌装される。図２に示すように、爪部２４が浴槽側接続口１１の内面に係止されることにより、弁部材２を溜水部材１０に対して強固に固定している。
【００２３】
また、弁部材１０はゴム等の伸縮可能な軟質樹脂からなる成形品であり、且つ溜水部材１０の係合溝１５内にきつく嵌装されているため、弁部材２の係合突部２２によって係合溝１５は、略水密的に塞がれることとなる。つまり、係合突部２２の少なくとも一部の断面が、対応する係合溝１５の断面よりも大きく形成されている。係合溝１５を水密的に塞ぐことにより、洗い場側から溜水部材１０内に流れ込んだ排水が、係合溝１５から浴槽側に逆流することを防止できる。また、弁部材２が溜水部材１０に強固に取り付けられるため、洗い場側および浴槽側から大量の排水が溜水部材１０内に流れ込んだ場合であっても、水流によって、弁部材２が抜け外れる虞がない。
【００２４】
また、図２に示すように、係合突部２２の先端が浴槽側接続口１１内に突出するように弁部材２は取り付けられている。このことにより、浴槽排水口１１内に手を入れて、係合突部２２の先端を上側に押し上げることにより、強固に取り付けられている弁部材２を容易に取り外すことが可能となる。弁部材２を容易に取り外せることにより、弁部材２のメンテナンスや排水トラップ１の清掃が容易になるという効果を奏する。
【００２５】
また、係合突部２２は、少なくとも弁部２１よりも厚肉に形成されているため硬度が大きい。よって、係合突部２２の先端を上側に押し上げることにより、強固に取り付けられている弁部材２をさらに容易に取り外すことが可能となる。同時に、弁部材２を取り付ける際にも、硬度を大きくすることにより、爪部２４に力がかかりやすくなるため、係合突部２２を係合溝１５に係止させやすくできるという利点も奏する。
【００２６】
係合溝１５は、溜水部材１０の成形後に後加工することもできるが、生産性が悪いという問題がある。そこで、本発明では、図４に示すように、係合溝１５が膨出部１４の上面に形成されており、係合溝１５の全体が、膨出部１４の上方に位置する溜水部材１０の内側面より内方側に形成させているため、溜水部材１０の内面を形成するための上側金型で係合溝１５も同時に成形している。この製法によれば、後加工する場合に比べて、生産性に優れるという効果を奏する。
【００２７】
以上の通り、本発明によれば、弁部材２の係合突部を溜水部材１０の係合溝に係合させることで固定している点で、従来に比べて構成を簡素化できるという効果を奏する。
【００２８】
また、係合突部２２の先端が、溜水部材１０の内面から突出するように取り付けられているため。溜水部材１０内から手で係合突部２２の先端を押し上げるという簡単な操作で、容易に弁部材２を取り外しできるという効果を奏する。
【００２９】
また、弁部材２の全体が伸縮可能な軟質樹脂材料から形成できるため、部品点数が削減でき、コストを低く抑えることが可能になるという効果を奏する。
【００３０】
また、係合突部２２によって係合溝１５が水密的に取り付けられているため、係合溝１５から浴槽側への排水の逆流を防止できるという効果を奏する。
【００３１】
また、弁部２１に比べて係合突部２２の方が、硬度が大きくなるように厚肉に形成されているため、着脱作業が容易になるという効果を奏する。
【００３２】
また、係合突部２２は、爪部２４によって係止されているため、弁部材２がより外れにくく強固に固定することが可能になるという効果を奏する。
【００３３】
また、係合溝１５が、浴槽側接続口１１の膨出部１４の上面に形成されているため、溜水部材１０の内面を形成するための上側金型で同時に係合溝１５も形成することが可能になるため生産性を向上できるという効果を奏する。
【符号の説明】
【００３４】
１…排水トラップ、１０…溜水部材、１１…浴槽側接続口、１２…排水管側接続口、１４…膨出部、１５…係合溝、１６…上側係合溝、１７…下側係合溝、２…弁部材、２１…弁部、２２…係合突部、２３…係合基部、２４…爪部、３１…浴槽水配管、３２…排水配管、４…浴槽排水部、５…浴槽、５１…排水栓、６…浴槽エプロン、７…締め付けフランジ、８…ヘアキャッチャー、９…防水パン
【図１】
2010242462.tif 000003
【図２】
2010242462.tif 000004
【図３】
2010242462.tif 000005
【図４】
2010242462.tif 000006
【図５】
2010242462.tif 000007
【図６】
2010242462.tif 000008